(57)【要約】      （修正有）【課題】内壁下地材の取り付けを不要にでき、良好な施工性を有する仮設建物の壁構造とその施工方法を提供すること。【解決手段】外壁柱２と、外壁面材と、外壁柱よりも水平断面における高さの低い複数の外壁下地材３とを備え、外壁柱２の室内側に上ランナー１０と下ランナーを有し、それぞれの外壁下地材３の室内側の側面に上下方向に間隔を置いて複数段のスペーサー８を有し、それぞれの段のスペーサー８に対してそれぞれ共通する横目地４０が取り付けられており、下ランナー１０と横目地４０、上ランナーによって、下方の内壁面材２０Ａ、上方の内壁面材が挟まれて固定され、上下方向に並ぶ複数の内壁面材によって内壁面材ユニットが形成され、複数の内壁面材ユニットが外壁柱２の並び方向に配設されて仮設建物の壁構造が形成される。【選択図】図７
2019173464.tif 000002
【特許請求の範囲】
【請求項１】
所定間隔を置いて配設された複数の外壁柱と、
複数の前記外壁柱に固定される外壁面材と、
前記外壁柱間に配設されて前記外壁面材を固定する、該外壁柱よりも水平断面における高さの低い複数の外壁下地材と、を備え、
前記外壁柱の室内側の上下位置に上ランナーと下ランナーを有し、
それぞれの前記外壁下地材の室内側の側面に上下方向に間隔を置いて複数段のスペーサーを有し、それぞれの段の前記スペーサーに対してそれぞれ共通する横目地が取り付けられており、
前記下ランナーと前記横目地によって上下から下方の内壁面材が挟まれて固定され、前記上ランナーと前記横目地によって上下から上方の内壁面材が挟まれて固定され、上下方向に並ぶ複数の前記内壁面材によって内壁面材ユニットが形成されており、
複数の前記内壁面材ユニットが、前記外壁柱の並び方向に配設されていることを特徴とする、仮設建物の壁構造。
【請求項２】
前記下方の内壁面材と前記上方の内壁面材の間に中間の内壁面材を更に有し、上下関係にある前記横目地によって上下から該中間の内壁面材が挟まれて固定されていることを特徴とする、請求項１に記載の仮設建物の壁構造。
【請求項３】
隣接する前記内壁面材ユニットの間に、縦目地が差し込まれていることを特徴とする、請求項１又は２に記載の仮設建物の壁構造。
【請求項４】
前記横目地は、前記スペーサーに固定される固定片と、該固定片から室内側に延出して前記内壁面材の上端もしくは下端を挟み込む挟み込み片と、を有し、該挟み込み片は、先端側の上下の側面において前記内壁面材の端部と係合する凹凸を有していることを特徴とする、請求項１乃至３のいずれか一項に記載の仮設建物の壁構造。
【請求項５】
前記横目地は樹脂材料から形成されており、該横目地の前記挟み込み片と前記内壁面材が鋲で固定されていることを特徴とする、請求項１乃至４のいずれか一項に記載の仮設建物の壁構造。
【請求項６】
前記縦目地は、室内側に露出して隣接する前記内壁面材ユニットを室内側から支持する支持片と、該支持片から延出して隣接する前記内壁面材ユニットの間に差し込まれる差し込み片と、を有し、該差し込み片は、先端側の左右の側面において前記内壁面材の端面と係合する凹凸を有していることを特徴とする、請求項３、請求項３に従属する請求項４又は５のいずれか一項に記載の仮設建物の壁構造。
【請求項７】
前記上ランナーと前記下ランナーはいずれも、雌ランナーと、該雌ランナーに係合する雄ランナーと、を有し、
前記仮設建物の上下位置にある構成部材に対して取り付けられている前記上ランナーと前記下ランナーの有する前記雌ランナーと前記雄ランナーのいずれか一方に対して、前記内壁面材の上端もしくは下端を挟み込むようにして前記雌ランナーと前記雄ランナーの他方が係合していることを特徴とする、請求項１乃至６のいずれか一項に記載の仮設建物の壁構造。
【請求項８】
前記内壁面材がグラスウールボードであることを特徴とする、請求項１乃至７のいずれか一項に記載の仮設建物の壁構造。
【請求項９】
所定間隔を置いて配設された複数の外壁柱と、複数の前記外壁柱に固定される外壁面材と、前記外壁柱間に配設されて前記外壁面材を固定する、該外壁柱よりも水平断面における高さの低い複数の外壁下地材と、を備え、該外壁柱と該外壁下地材の室内側に内壁面材を取り付けて仮設建物の壁構造を施工する、仮設建物の壁構造の施工方法であって、
前記外壁柱の室内側の上下位置に上ランナーと下ランナーを取り付け、それぞれの前記外壁下地材の室内側の側面に複数段のスペーサーを取付ける、ランナー及びスペーサー取り付け工程と、
前記下ランナーに下方の内壁面材を取り付け、それぞれの前記スペーサーに対して共通する横目地を取り付けることにより、前記下ランナーと前記横目地によって上下から該下方の内壁面材を挟んで固定する、下方の内壁面材固定工程と、
前記下方の内壁面材の上方にある前記横目地の上に中間の内壁面材を載置し、前記スペーサーに対して共通する横目地を取り付けることにより、上下の前記横目地によって上下から該中間の内壁面材を挟んで固定する、中間の内壁面材固定工程と、
前記中間の内壁面材の上方にある前記横目地の上に上方の内壁面材を載置し、前記上ランナーと前記横目地によって上下から該上方の内壁面材を挟んで固定することにより、上下方向に並ぶ複数の前記内壁面材によって内壁面材ユニットを形成する、内壁面材ユニット形成工程と、
２以上の前記内壁面材ユニット形成工程によって複数の前記内壁面材ユニットを形成し、隣接する該内壁面材ユニットの間に縦目地を差し込んで仮設建物の壁構造を施工することを特徴とする、仮設建物の壁構造の施工方法。
【請求項１０】
前記横目地は樹脂材料から形成され、前記スペーサーに固定される固定片と、該固定片から室内側に延出して前記内壁面材の上端もしくは下端を挟み込む挟み込み片と、を有しており、
前記横目地の前記挟み込み片と前記内壁面材を鋲で固定することを特徴とする、請求項９に記載の仮設建物の壁構造の施工方法。
【発明の詳細な説明】
【技術分野】
【０００１】
本発明は、仮設建物の壁構造とその施工方法に関する。
【背景技術】
【０００２】
屋外イベントのための仮設アリーナや、震災後において早急な施工を要する仮設住宅、仮設の宿泊施設等、様々な用途に仮設建物が供されており、また施工が予定されている。ここで、図１を参照して、従来の仮設建物の壁構造の一例を説明する。図１は、従来の仮設建物の壁構造の横断面図であり、この横断面（水平断面）を上から見た図である。
【０００３】
図１に示す仮設建物の壁構造２００は、金属サイディングボードや窯業系サイディングボード等からなる外壁面材１が、軽量鉄骨の角形鋼管等からなる外壁柱２にビス止めされ、内壁面材６も同様に外壁柱２に固定されるとともに、内壁面材６はさらに複数の軽量溝形鋼等からなる内壁下地材４に固定されてその全体が構成されている。外壁面材１は、外壁柱２のみならず、外壁柱２の間に配設されている軽量溝形鋼等からなる外壁下地材（間柱）３にも固定されている。外壁柱２の室外側面には、例えば乾式の縦目地１ａを介してその左右に外壁面材１が取り付けられている。
【０００４】
また、外壁柱２の側面には側方に張出すプレート２ａが溶接されており、外壁面材１の幅方向端部には、軽量溝形鋼等からなる鉛直方向に延びた取付け縦胴縁１ｂがビス止めされており、外壁柱２には外壁面材１が直接ビス止めされるとともに、取付け縦胴縁１ｂがプレート２ａにボルト固定されることにより、外壁柱２に対する外壁面材１の取付けが図られている。尚、外壁面材１と外壁下地材３や取付け縦胴縁１ｂを含めて、外壁パネルと称することができる。
【０００５】
壁構造２００の下端と上端には、外壁面材１の幅方向に延びる断面コの字状のランナーがコの字の開口を内壁下地材４側に向けた姿勢で敷設されており、複数の内壁下地材４は、これら上下に位置する断面コの字状のランナーに嵌め込まれ、固定されている。尚、図１には、上下のランナーのうち、下方のランナー５を示している。内壁面材６は、外壁柱２に固定されるとともに、上下のランナーに固定されている複数の内壁下地材４に固定されている。すなわち、図１に示すように、外壁柱２と外壁下地材３の各壁厚方向の寸法ｔ１、ｔ２は相互に相違するのが一般的であり、より詳細には外壁柱２の寸法ｔ１が相対的に大きくなるのが一般的であることから、内壁面材６を外壁柱２と外壁下地材３の双方の室内側面で固定することができない。そのため、従来の壁構造２００では、内壁面材６を外壁柱２に固定するとともに、外壁柱２の室内側面と面一に配設された複数の内壁下地材４にて固定する構成が採用されている。
【０００６】
また、内壁面材６には、石膏ボードやケイカル板（ケイ酸カルシウム板）が一般に適用されることから、内壁面材６の室内側の表面には、クロスなどの仕上げ材６ａが一般に設けられる。また、内壁面材６が石膏ボード等から形成されていることから、外壁面材１と内壁面材６の間の壁空間には、グラスウール等の断熱材７が充填されて仮設建物の断熱性を保証している。
【０００７】
このように、従来の仮設建物の壁構造２００では、内壁面材６を固定するための複数の内壁下地材４を必須の構成としており、仮設建物でありながら壁構造２００の形成に際して部品点数（特に、軽量形鋼の部品点数）が多くなるといった課題を有している。そして、供用期間が比較的短い仮設建物でありながらも、内壁面材６を外壁柱２や内壁下地材４にビス等で強固に固定することから、壁構造２００の施工や解体に手間と時間を要するといった課題を有している。
【０００８】
また、内壁面材６の表面に仕上げ材６ａを設ける必要があり、さらには、外壁面材１と内壁面材６の間の壁空間に断熱材７を充填する必要があることから、内壁下地材４の設置と断熱材７の設置に起因して施工工程が多くなるといった課題も有している。
【０００９】
ここで、吸音断熱材を建築物の内壁面に対して所定の間隔を設けて取付け可能とした吸音断熱材取付け具が提案されている（例えば、特許文献１参照）。
【先行技術文献】
【特許文献】
【００１０】
【特許文献１】実開平５−５４７０７号公報
【発明の概要】
【発明が解決しようとする課題】
【００１１】
しかしながら、仮に特許文献１に記載の吸音断熱材取付け具を従来の仮設建物の壁構造に適用したとしても、内壁面材を固定するための複数の内壁下地材の取り付けを解消することはできず、仮設建物の壁構造において部品点数が多いといった課題や施工工程が多いといった課題を解消することはできない。
【００１２】
本発明は上記する問題に鑑みてなされたものであり、内壁下地材の取り付けを不要にでき、良好な施工性を有する仮設建物の壁構造とその施工方法を提供することを目的としている。
【課題を解決するための手段】
【００１３】
前記目的を達成すべく、本発明による仮設建物の壁構造の一態様は、
所定間隔を置いて配設された複数の外壁柱と、
複数の前記外壁柱に固定される外壁面材と、
前記外壁柱間に配設されて前記外壁面材を固定する、該外壁柱よりも水平断面における高さの低い複数の外壁下地材と、を備え、
前記外壁柱の室内側の上下位置に上ランナーと下ランナーを有し、
それぞれの前記外壁下地材の室内側の側面に上下方向に間隔を置いて複数段のスペーサーを有し、それぞれの段の前記スペーサーに対してそれぞれ共通する横目地が取り付けられており、
前記下ランナーと前記横目地によって上下から下方の内壁面材が挟まれて固定され、前記上ランナーと前記横目地によって上下から上方の内壁面材が挟まれて固定され、上下方向に並ぶ複数の前記内壁面材によって内壁面材ユニットが形成されており、
複数の前記内壁面材ユニットが、前記外壁柱の並び方向に配設されていることを特徴とする。
【００１４】
本態様によれば、内壁下地材を不要としながら、室内側面が面一となっていない外壁柱と外壁下地材のうち、水平断面における高さの低い（外壁面材から内壁面材までの寸法が小さい）外壁下地材の室内側面にスペーサーを取付けたことにより、外壁柱と外壁下地材に対して内壁面材を固定することができる。尚、本態様の壁構造を有する仮設建物は、仮設住宅や仮設アリーナ等の供用期間の比較的短い仮設建物の他にも、ビル等の地下や屋上に設けられた機械室等、一般建物の居室等に付随する非居住施設等を含んでいる。
【００１５】
ここで、上ランナーと下ランナーの間には、複数段の横目地が配設されており、各横目地は、複数の外壁下地材に取付けられているスペーサーに固定されている。すなわち、鉛直方向に延設する各外壁下地材の室内側の側面には、複数段の横目地に対応した位置にスペーサーが取付けられている。
【００１６】
本態様の仮設建物の壁構造では、上ランナーと横目地と下ランナーとによって、内壁面材を上下から挟み込んで固定することにより、外壁柱や外壁下地材（に取付けられているスペーサー）に対して内壁面材の固定が図られる。
【００１７】
また、本発明による仮設建物の壁構造の他の態様は、前記下方の内壁面材と前記上方の内壁面材の間に中間の内壁面材を更に有し、上下関係にある前記横目地によって上下から該中間の内壁面材が挟まれて固定されていることを特徴とする。
【００１８】
本態様によれば、内壁面材ユニットが、上方の内壁面材と下方の内壁面材に加えて、１つもしくは２以上の中間の内壁面材から形成されることにより、１つの内壁面材の寸法を搬送や組み付けに好適な寸法に設定することができる。尚、中間の内壁面材が１つの場合は、内壁面材ユニットを横切る横目地は２つであり、中間の内壁面材が２つの場合は、横目地が３つとなる。
【００１９】
また、本発明による仮設建物の壁構造の他の態様は、隣接する前記内壁面材ユニットの間に、縦目地が差し込まれていることを特徴とする。
【００２０】
本態様によれば、上下に並ぶ内壁面材から形成される内壁面材ユニットと内壁面材ユニットの間に縦目地が差し込まれていることにより、室内側への内壁面材の倒れ防止を補強しながら、縦目地を設けることによって内壁面材ユニットの横方向への並びに対してアクセントを付与でき、室内側からの意匠性を高めることができる。
【００２１】
また、本発明による仮設建物の壁構造の他の態様において、前記横目地は、前記スペーサーに固定される固定片と、該固定片から室内側に延出して前記内壁面材の上端もしくは下端を挟み込む挟み込み片と、を有し、該挟み込み片は、先端側の上下の側面において前記内壁面材の端部と係合する凹凸を有していることを特徴とする。
【００２２】
本態様によれば、横目地の有する挟み込み片がその先端側の上下の側面に凹凸を備えていることにより、凹凸が内壁面材の端部に嵌まり込むことによって横目地と内壁面材の係合状態を形成することができる。
【００２３】
また、本発明による仮設建物の壁構造の他の態様において、前記横目地は樹脂材料から形成されており、該横目地の前記挟み込み片と前記内壁面材が鋲で固定されていることを特徴とする。
【００２４】
本態様によれば、横目地が樹脂材料から形成されていることにより、横目地と内壁面材を鋲にて固定することができる。ここで、「鋲」には、通常の画鋲の他、床材にカーペットを固定するカーペット鋲などが含まれる。
【００２５】
また、本発明による仮設建物の壁構造の他の態様において、前記縦目地は、室内側に露出して隣接する前記内壁面材ユニットを室内側から支持する支持片と、該支持片から延出して隣接する前記内壁面材ユニットの間に差し込まれる差し込み片と、を有し、該差し込み片は、先端側の左右の側面において前記内壁面材の端面と係合する凹凸を有していることを特徴とする。
【００２６】
本態様によれば、縦目地の有する差し込み片が内壁面材の端面と係合する凹凸を有していることにより、隣接する内壁面材ユニット間に縦目地を差し込んだだけで、縦目地を内壁面材ユニットに固定することができる。尚、各横目地が、例えば外壁柱と外壁柱の間の長さを有していることにより、外壁柱の中央位置で水平方向に延びる横目地は縁切りされる。そして、水平方向に縁切りされたそれぞれの横目地の間に、縦目地の先端が入り込むような構造を形成できるため、横目地と縦目地が相互に干渉することを解消できる。このことに関し、従来の壁構造では、横目地と縦目地を共に外壁柱やスペーサー等に固定していたために、横目地と縦目地の干渉部位が必ず生じ、干渉位置においていずれか一方を切断する等の処置が必要になっていた。
【００２７】
また、本発明による仮設建物の壁構造の他の態様において、前記上ランナーと前記下ランナーはいずれも、雌ランナーと、該雌ランナーに係合する雄ランナーと、を有し、
前記仮設建物の上下位置にある構成部材に対して取り付けられている前記上ランナーと前記下ランナーの有する前記雌ランナーと前記雄ランナーのいずれか一方に対して、前記内壁面材の上端もしくは下端を挟み込むようにして前記雌ランナーと前記雄ランナーの他方が係合していることを特徴とする。
【００２８】
本態様によれば、上ランナーと下ランナーが共に、相互に係合する雌ランナーと雄ランナーを有し、仮設建物の上下位置にある構成部材に対して予め雌ランナーと雄ランナーのいずれか一方が取付けられていて、内壁面材設置後に雌ランナーと雄ランナーの他方が係合されて上ランナーと下ランナーが形成されることにより、比較的硬質の内壁面材を取付ける場合に、取付け性が良好になる。なお、比較的軟質な内壁面材を適用する場合は、従来の上下に開口を向けた断面コの字状の上ランナー及び下ランナーを適用しても、内壁面材を変形させながら上ランナー等に差し込むことができる。
【００２９】
また、本発明による仮設建物の壁構造の他の態様は、前記内壁面材がグラスウールボードであることを特徴とする。
【００３０】
本態様によれば、グラスウールボードからなる内壁面材を有することにより、内壁面材そのものが断熱性能を有しており、従って、外壁面材と内壁面材の間の壁空間に断熱材を充填施工することを不要にしながら、仮設建物の断熱性を保証することができる。また、内壁面材がグラスウールボードゆえに、石膏ボードのように表面仕上げ材の施工も不要にできる。これらのことから、従来の仮設建物の壁構造に比べて施工工程を低減することができ、かつシンプルでありながら断熱性に優れた壁構造を提供することができる。さらに、グラスウールボードは吸音性と不燃性を有することから、吸音性と不燃性を有する内壁面材を備えた仮設建物の壁構造を形成することができる。
【００３１】
また、本発明による仮設建物の壁構造の施工方法の一態様は、
所定間隔を置いて配設された複数の外壁柱と、複数の前記外壁柱に固定される外壁面材と、前記外壁柱間に配設されて前記外壁面材を固定する、該外壁柱よりも水平断面における高さの低い複数の外壁下地材と、を備え、該外壁柱と該外壁下地材の室内側に内壁面材を取り付けて仮設建物の壁構造を施工する、仮設建物の壁構造の施工方法であって、
前記外壁柱の室内側の上下位置に上ランナーと下ランナーを取り付け、それぞれの前記外壁下地材の室内側の側面に複数段のスペーサーを取付ける、ランナー及びスペーサー取り付け工程と、
前記下ランナーに下方の内壁面材を取り付け、それぞれの前記スペーサーに対して共通する横目地を取り付けることにより、前記下ランナーと前記横目地によって上下から該下方の内壁面材を挟んで固定する、下方の内壁面材固定工程と、
前記下方の内壁面材の上方にある前記横目地の上に中間の内壁面材を載置し、前記スペーサーに対して共通する横目地を取り付けることにより、上下の前記横目地によって上下から該中間の内壁面材を挟んで固定する、中間の内壁面材固定工程と、
前記中間の内壁面材の上方にある前記横目地の上に上方の内壁面材を載置し、前記上ランナーと前記横目地によって上下から該上方の内壁面材を挟んで固定することにより、上下方向に並ぶ複数の前記内壁面材によって内壁面材ユニットを形成する、内壁面材ユニット形成工程と、
２以上の前記内壁面材ユニット形成工程によって複数の前記内壁面材ユニットを形成し、隣接する該内壁面材ユニットの間に縦目地を差し込んで仮設建物の壁構造を施工することを特徴とする。
【００３２】
本態様によれば、上ランナーと下ランナーとスペーサーを取付けた後、下ランナーに対して下方の内壁面材を取付け、横目地、中間の内壁面材、横目地を順に取付け、さらに上方の内壁面材を上ランナーに取り付けることにより、上下方向に並ぶ複数の内壁面材からなる内壁面材ユニットを効率的に施工することができる。このようにして室内側に内壁面材ユニットを水平方向に並べて複数の内壁面材ユニットを施工した後、隣接する内壁面材ユニット間に縦目地を差し込んで内壁が施工されることから、仮設建物の壁構造を形成する内壁を効率的に施工することができ、従って、仮設建物の壁構造の全体を効率的に施工することができる。
【００３３】
また、この施工方法において、既述するように、例えば外壁柱と外壁柱の芯間の長さを有している横目地を適用することにより、外壁柱の中央位置において水平方向に延びる横目地の間に隙間が形成される（縁切りされる）。そして、水平方向に並ぶ横目地の間の隙間に、縦目地の先端を入り込ませるような構成を形成できるため、横目地と干渉させることなく、後施工される縦目地の差し込みを行うことができる。
【００３４】
また、仮設建物の壁構造を解体する際には、本態様による施工方法の反対の手順にて各構成部材の取り外しを行うことにより、各構成部材を破損させることなく、壁構造の解体を行うことができる。従って、取り外し後の各構成部材の再利用が可能になる。
【００３５】
また、本発明による仮設建物の壁構造の施工方法の他の態様において、前記横目地は樹脂材料から形成され、前記スペーサーに固定される固定片と、該固定片から室内側に延出して前記内壁面材の上端もしくは下端を挟み込む挟み込み片と、を有しており、
前記横目地の前記挟み込み片と前記内壁面材を鋲で固定することを特徴とする。
【００３６】
本態様によれば、樹脂材料から形成される横目地の挟み込み片と内壁面材を鋲で固定することにより、より一層良好な施工性が得られる。
【発明の効果】
【００３７】
以上の説明から理解できるように、本発明の仮設建物の壁構造とその施工方法によれば、内壁下地材の取り付けを不要にしながら、良好な施工性を有し、さらには解体後の各構成部材の再利用が可能になる。
【図面の簡単な説明】
【００３８】
【図１】従来の仮設建物の壁構造の一例の横断面図である。
【図２】実施形態に係る仮設建物の壁構造の施工方法の一例の工程図である。
【図３】スペーサーの一例の斜視図である。
【図４】図２に続いて仮設建物の壁構造の施工方法の一例の工程図である。
【図５】壁構造の下端（床側）の一例の縦断面図である。
【図６】横目地の一例の斜視図である。
【図７】図４に続いて仮設建物の壁構造の施工方法の一例の工程図である。
【図８】図７に続いて仮設建物の壁構造の施工方法の一例の工程図である。
【図９】図８の状態における壁構造の縦断面図である。
【図１０】壁構造の上端（天井側）の一例の縦断面図である。
【図１１】図７に続いて仮設建物の壁構造の施工方法の一例の工程図であって、縦目地を取付ける前の壁構造を室内側から見た斜視図である。
【図１２】縦目地の一例の斜視図である。
【図１３】図１１に続いて仮設建物の壁構造の施工方法の一例の工程図であって、実施形態に係る仮設建物の壁構造の一例を室内側から見た斜視図である。
【図１４】縦目地が配設されている領域のうち、下方の内壁面材の途中で切断した横断面図である。
【図１５】縦目地が配設されている領域のうち、下方の内壁面材の上方にある横目地の上から見た横断面図である。
【発明を実施するための形態】
【００３９】
以下、実施形態に係る仮設建物の壁構造とその施工方法について添付の図面を参照しながら説明する。なお、本明細書及び図面において、実質的に同一の構成要素については、同一の符号を付することにより重複した説明を省く場合がある。
【００４０】
［実施形態に係る仮設建物の壁構造とその施工方法］
図２乃至図１５を参照して、実施形態に係る仮設建物の壁構造の一例とその施工方法の一例を説明する。
【００４１】
図２において、２本の軽量鉄骨の角形鋼管等からなる外壁柱２の間に、軽量リップ溝形鋼からなる４本の外壁下地材３が配設され、外壁下地材３同士は連続する溝形鋼９１にて一体に連結された構面の一部を示す。この構面内には、丸鋼等からなるブレース９２が配設されている。
【００４２】
仮設建物の壁構造の施工方法では、まず、図２に示すように、壁構造を形成する外壁柱２と外壁下地材３を建て込み、外壁柱２と外壁下地材３に不図示の外壁面材を取付けると共に、外壁柱２等の室内側にはブレース９２を取付ける。
【００４３】
さらに、外壁柱２の下端の室内側の側面に、下ランナーを形成する雌ランナー１１を配設し、床板等に対してビス等にて固定する。この雌ランナー１１は後述する雄ランナーや、後述する横目地や縦目地と同様に樹脂材料から形成されている。この樹脂材料は特に限定されるものではないが、ポリエチレンやポリプロピレン等、適度の硬度を有し、適度の変形性能を有する樹脂材料が好ましい。尚、図１に示す従来の壁構造のように、下ランナーと上ランナーが共に断面コの字状の金物ランナーから形成されてもよい。
【００４４】
また、図２に示すように、各外壁下地材３において、複数の共通するレベル位置にスペーサー８を取付ける。図２には、２つのレベル位置において、各外壁下地材３に対してスペーサー８が取付けられている状態を示している。
【００４５】
ここで、図３において、スペーサーの一例の斜視図を示す。図示するスペーサー８は全体として金物から形成されており、不図示の横目地が取付けられるビス孔８１ａが開設されている取付け片８１と、取付け片８１に対して溶接等にて固定されている調整ボルト８４と、調整ボルト８４に螺合して回転しながら取付け片８１との離間が調整される係合本体８２と、を有する。尚、取付け片８１にビス孔８１ａが開設されていなくてもよい。
【００４６】
係合本体８２は、外壁下地材８のリップが挿通されるリップ挿通口８５と、リップ挿通口８５に連通して溝形鋼の立片を調整ボルト８３の端面とともに挟み込む係合口８４と、を有する。各外壁下地材８を形成する溝形鋼のリップをリップ挿通口８５に挿通させ、係合口８４に挿入されている溝形鋼の立片に対して、取付け片８１を回転させながら調整ボルト８４を立片に当接させ、さらに押圧させることにより、外壁下地材３の所定の位置においてスペーサー８の取付けが行われる。以上が、実施形態に係る施工方法における、ランナー及びスペーサー取り付け工程となる。
【００４７】
次に、図４に示すように、下ランナー１０の雌ランナー１１の上に下方の内壁面材２０Ａを載置し、雌ランナー１１に雄ランナー１２を嵌め込むことによって下ランナー１０を形成すると共に、下ランナー１０にて下方の内壁面材２０Ａを下方位置にて固定する。内壁面材２０Ａの横方向の長さは、隣接する２つの外壁柱２の芯間距離に相当する長さに設定されている。図４に示すように、下方の内壁面材２０Ａが固定された状態において、下方の内壁面材２０Ａの上端から、各スペーサー８の有する取付け片８１の上方の一部が露出しており、ビス孔８１ａが同様に露出している。このように、下方の内壁面材２０Ａを取付けた際に、ビス孔８１ａが上方に露出ように各スペーサー８を対応する外壁下地材３に取付けておく。
【００４８】
内壁面材２０Ａにはグラスウールボードが適用される。ここで、適用されるグラスウールボードとしては、旭ファイバーグラス株式会社製のアクリア（登録商標）シリーズの、例えばアクリアＧＣ等を適用できる。尚、以下で示す他の内壁面材２０Ｂ，２０Ｃにも同様にグラスウールボードが適用されるが、内壁面材２０Ａを代表的に取り上げて説明する。
【００４９】
内壁面材２０Ａにグラスウールボードを適用することにより、内壁面材２０Ａそのものが断熱性能を有することとなり、従って、外壁面材１と内壁面材２０Ａの間の壁空間において、図１に示す壁構造２００のように断熱材７を充填施工することを不要にできる。また、内壁面材２０Ａがグラスウールボードであることから、図１に示す壁構造２００の有する内壁面材６である石膏ボードのように、表面仕上げ材の施工も不要にできる。
【００５０】
これらのことから、グラスウールボードからなる内壁面材２０Ａを有する壁構造では、従来の仮設建物の壁構造２００に比べて、施工工程を低減することができ、内部構成を可及的にシンプルにしながらも、断熱性に優れた壁構造を形成できる。
【００５１】
図５は、壁構造の下端（床側）の一例の縦断面図である。下ランナー１０の雌ランナー１１は床板３０にビス留めされ、この上に、下方の内壁面材２０Ａが載置された後、雌ランナー１１に対して室内空間側から雄ランナー１２を嵌め込むことにより、下ランナー１０が形成される。尚、図示例は、雌ランナー１１を床板３０に固定し、雄ランナー１２を嵌め込む形態であるが、雄ランナー１２が床板３０に固定され、雌ランナー１１を嵌め込む形態であってもよい。図５において、外壁面材３の外側に固定されている外壁面材１の下方には、土台水切り１ｂが取付けられている。
【００５２】
図４に示すように、下ランナー１０に対して下方の内壁面材２０Ａを取付けた後、内壁面材２０Ａの上端を横目地を介してスペーサー８に取付ける。ここで、図６は、横目地の一例を示す斜視図である。
【００５３】
図示する横目地４０は、スペーサー８の取付け片８１に固定される固定片４１と、固定片４１から室内側に延出して内壁面材２０Ａの上端を挟み込む挟み込み片４２と、を有する。挟み込み片４２は、先端側の上下の側面において、内壁面材２０Ａ（及び図８に示す内壁面材２０Ｂ）の端部と係合する凹凸４３を有する。また、横目地４０は既述するように樹脂材料から形成されている。
【００５４】
図７に示すように、横目地４０の固定片４１を内壁面材２０Ａの上端の裏側に入れ込み、背面に位置する各スペーサー８の取付け片８１に対してビス等で固定する。さらに、横目地４０の挟み込み片４２に鋲４４を打ち込み、鋲４４で横目地４０と内壁面材２０Ａを接続する。横目地４０が樹脂材料にて形成されており、内壁面材２０Ａもグラスウールボードから形成されていることから、挟み込み片４２の上から鋲４４をグラスウールボードの内部まで容易に刺し込むことができる。また、この際、挟み込み片４２の有する凹凸４３が内壁面材２０Ａに嵌まり込むことにより、横目地４０と内壁面材２０Ａが強固に係合される。
【００５５】
また、図７に示すように、内壁面材２０の横方向の長さと同様に、横目地４０の長手方向の長さも、隣接する２つの外壁柱２の芯間距離に相当する長さに設定されている。図示する左右いずれか一方の外壁柱２と、不図示の他の外壁柱２との間にも同様に横目地４０が配設されるが、外壁柱２の中央位置において横目地４０が縁切りされていることにより、後施工にて取付けられる縦目地と横目地４０が干渉することが無くなる。このことは、以下の縦目地の取付けを説明する箇所で詳説する。以上が、実施形態に係る施工方法における、下方の内壁面材固定工程となる。
【００５６】
次に、図８に示すように、横目地４０の上に中間の内壁面材２０Ｂを載置する。内壁面材２０Ｂを載置した状態において、下方の内壁面材２０Ａを取付けた際と同様、内壁面材２０Ｂの上方から各スペーサー８の有する取付け片８１の上方の一部が露出しており、ビス孔８１ａが同様に露出している。図示を省略するが、図７と同様に、取付けられた中間の内壁面材２０Ｂの上端に横目地を載置し、横目地をビス等にてスペーサー８に固定する。
【００５７】
このように、中間の内壁面材２０Ｂについては、上下の横目地４０によって挟み込まれることにより、上下の横目地４０の挟み込み片４２の有するそれぞれの凹凸４３が内壁面材２０Ｂの上下端にそれぞれ嵌まり込み、上下の横目地４０と内壁面材２０Ｂが強固に係合され、中間の内壁面材２０Ｂが固定される。
【００５８】
図９は、図８の状態における壁構造の縦断面図である。横目地４０の挟み込み片４２と下方の内壁面材２０Ａが鋲４４で固定されるとともに、挟み込み片４２の先端の上下の側面にある凹凸４３が下方の内壁面材２０Ａの上端面および中間の内壁面材２０Ｂの下端面にそれぞれ嵌まり込み、係合していることが分かる。中間の内壁面材２０Ｂは、１つであってもよいし、上下方向に２つ以上取付けられてもよい。以上が、実施形態に係る施工方法における、中間の内壁面材固定工程となる。
【００５９】
最上段の中間の内壁面材２０Ｂの上に横目地４０が取付けられた後、図１０に示すように、上方の内壁面材２０Ｃを上ランナー５０を形成する雌ランナー５１の下面に嵌め込み、雌ランナー５１に対して室内側から雄ランナー５２を差し込むことにより、上ランナー５０を形成するとともに上方の内壁面材２０Ｃが固定される。上ランナー５０は、例えば石膏ボード等からなる天井面材７０の端部に係止されている。不図示のＨ形鋼等からなる天井梁から吊りボルト７５が吊持されており、吊りボルト７５にハンガー７４が接続され、ハンガー７４に野縁受け７３が支持されると共に、野縁受け７３に野縁７２が支持されている。そして、天井面材７０は、複数の野縁７２に固定されている。
【００６０】
上方の内壁面材２０Ｃが最上段の中間の内壁面材２０Ｂと上ランナー５０に挟み込まれて固定されることにより、下ランナー１０と、上ランナー５０と、外壁下地材３に固定されているスペーサー８に接続された横目地４０と、により、下方の内壁面材２０Ａと、中間の内壁面材２０Ｂと、上方の内壁面材２０Ｃが上下方向に並んだ姿勢で固定される。
【００６１】
図１１は、縦目地を取付ける前の壁構造を室内側から見た斜視図である。図１１に示すように、下方の内壁面材２０Ａと、中間の内壁面材２０Ｂと、上方の内壁面材２０Ｃとにより、内壁面材ユニット２０が形成される。以上が、実施形態に係る施工方法における、内壁面材ユニット形成工程となる。
【００６２】
内壁面材ユニット形成工程を２回以上繰り返し実行することにより、図１１に示すように、仮設建物の室内側において、複数の内壁面材ユニット２０を水平方向に並設して施工する。尚、壁の各所に適宜窓が設けられるが、その図示は省略する。
【００６３】
次に、図１２を参照して、隣接する内壁面材ユニット２０の間に差し込まれる縦目地について説明する。図示する縦目地６０は、支持片６１と、支持片６１から延出して隣接する内壁面材ユニットの間に差し込まれる差し込み片６２とを有する。また、差し込み片６２は、その先端側の左右の側面において、内壁面材２０の端面と係合する凹凸６３を有している。
【００６４】
図１１に示すように、隣接する内壁面材ユニット２０の間に、図１２に示す縦目地６０を差し込み片６２から差し込むようにして縦目地６０を取付けることにより、図１３に示す仮設建物の壁構造１００が施工される。図１３に示すように、支持片６１は室内側に露出し、左右の内壁面材ユニット２０を室内側から支持する。
【００６５】
図１４は、縦目地が配設されている領域のうち、下方の内壁面材の途中で切断した横断面図である。図１４に示すように、差し込み片６２の有する左右の凹凸６３が左右の内壁面材ユニット２０（図１４では、下方の内壁面材２０Ａを示す）の端面に係合することにより、差し込まれただけの縦目地６０が左右の内壁面材ユニット２０から係脱することなく、左右の内壁面材ユニット２０を室内側から支持することができる。すなわち、縦目地６０により、内壁面材ユニット２０を形成する個々の内壁面材２０Ａ、２０Ｂ，２０Ｃがユニットから抜けることを防止できる。
【００６６】
図１５は、縦目地が配設されている領域のうち、下方の内壁面材の上方にある横目地の上から見た横断面図である。図１５に示すように、水平方向に延びる横目地４０は、外壁柱２の芯付近で縁切りされており、図示するように、それぞれの端面の間に若干の隙間Ｇを有する。施工の最後に取付けられる縦目地６０は、横目地４０がない断面では図１４に示すように相互に密着した内壁面材ユニット２０の間に差し込まれ、横目地４０がある断面では図１５に示すように隙間Ｇの間に差し込まれる。このように、縦目地６０の差し込みに際して、既に取付けられている横目地４０と後施工される縦目地６０が干渉することはない。
【００６７】
図示する施工方法によれば、従来構造の仮設建物の有する内壁下地材の取り付けを不要としながら、良好な施工性の下で壁構造１００を施工することができる。そして、仮設建物の供用期間が終了し、仮設建物を解体する際には、壁構造１００を施工する順序の逆の順序で解体を行うことにより、各構成部材を破損させることなく、従って再利用可能な状態で解体を行うことができる。
【００６８】
図示する壁構造１００を有する仮設建物は、供用期間が比較的短い仮設住宅や仮設の宿泊施設等は勿論のこと、ビル等の地下や屋上に設けられた機械室等の一般建物に付随する非居住施設も含んでいる。壁構造１００がグラスウールボードからなる内壁面材２０Ａ，２０Ｂ，２０Ｃを有することにより、仮設建物は、断熱性のみならず、吸音性も備えた仮設建物となる。従って、仮設の居住施設の他にも、断熱性と音漏れ防止性の双方が要求される仮設の会議室等に好適に用いられる。
【００６９】
なお、上記実施形態に挙げた構成等に対し、その他の構成要素が組み合わされるなどした他の実施形態であってもよく、また、本発明はここで示した構成に何等限定されるものではない。この点に関しては、本発明の趣旨を逸脱しない範囲で変更することが可能であり、その応用形態に応じて適切に定めることができる。
【００７０】
例えば、図示例の仮設建物の壁構造１００では、内壁面材ユニット２０が、下方の内壁面材２０Ａと、中間の内壁面材２０Ｂと、上方の内壁面材２０Ｃとを有しているが、内壁面材ユニット２０が下方の内壁面材２０Ａと上方の内壁面材２０Ｃのみを有する形態であってもよい。また、図示例の仮設建物の壁構造１００は縦目地６０を有しているが、縦目地６０を有していない仮設建物の壁構造（図１１に示す状態）であってもよい。
【符号の説明】
【００７１】
１：外壁面材、１ａ：縦目地、１０：下ランナー、１１：雌ランナー、１２：雄ランナー、２：外壁柱、３：外壁下地材（間柱）、２０：内壁面材ユニット、２０Ａ：下方の内壁面材（内壁面材、グラスウールボード）、２０Ｂ：中間の内壁面材（内壁面材、グラスウールボード）、２０Ｃ：上方の内壁面材（内壁面材、グラスウールボード）、４０：横目地、４１：固定片、４２：挟み込み片、４３：凹凸、４４：鋲、５０：上ランナー、５１：雌ランナー、５２：雄ランナー、６０：縦目地、６１：支持片、６２：差し込み片、６３：凹凸、７０：天井面材、８：スペーサー、８１：取付け片、８２：係合本体、８３：調整ボルト、８４：係合口、８５：リップ挿通口、１００：仮設建物の壁構造（壁構造）
【図１】
2019173464.tif 000003
【図２】
2019173464.tif 000004
【図３】
2019173464.tif 000005
【図４】
2019173464.tif 000006
【図５】
2019173464.tif 000007
【図６】
2019173464.tif 000008
【図７】
2019173464.tif 000009
【図８】
2019173464.tif 000010
【図９】
2019173464.tif 000011
【図１０】
2019173464.tif 000012
【図１１】
2019173464.tif 000013
【図１２】
2019173464.tif 000014
【図１３】
2019173464.tif 000015
【図１４】
2019173464.tif 000016
【図１５】
2019173464.tif 000017